(57)【要約】      （修正有）【課題】容易にペットの口元付近に餌を持っていくことが可能なペットフード供給具を提供する。【解決手段】ペットフード供給具１は、ペットフードを保持するペットフード保持部２と、ペットフード保持部２に一端３ａが連結される棒状の操作桿３と、操作桿３の他端３ｂが連結され、テーブル等に取り付けられる取付具４と、を備え、取付具４は、テーブル等に装着される固定具５と、固定具５に連結される自由雲台６と、で構成され、自由雲台６は、雲台本体６１と、雲台本体６１に回動可能に保持されたボール部６２と、を備え、操作桿３の他端３ｂがボール部６２に連結されることで、ペットフード保持部２は、ボール部６２を中心として旋回可能である。猫がペットフードを舐めるのに夢中となっている間に猫の手を把持し、爪を切ることができる。【選択図】図１
0003231485.tif 000002
【実用新案登録請求の範囲】
【請求項１】
ペットフードを保持するペットフード保持部と、
前記ペットフード保持部に一端が連結される棒状の操作桿と、
前記操作桿の他端が連結され、テーブル等に取り付けられる取付具と、を備え、
前記取付具は、テーブル等に装着される固定具と、前記固定具に連結される自由雲台と、で構成され、
前記自由雲台は、雲台本体と、前記雲台本体に回動可能に保持されたボール部と、を備え、
前記操作桿の他端が前記ボール部に連結されることで、前記ペットフード保持部は、前記ボール部を中心として旋回可能であるペットフード供給具。
【請求項２】
前記固定具は、テーブル等を挟むＵ型ジョイント金具と、前記Ｕ型ジョイント金具とテーブル等との間の隙間を埋めるためのアジャスターと、で構成されることを特徴とする請求項１に記載のペットフード供給具。
【請求項３】
前記ペットフード保持部は、スティックタイプのペットフードを保持しつつペットフードを袋から送り出すためのローラまたは押圧片と、このローラまたは押圧片を駆動する駆動機構とを備え、前記ローラの回転または押圧片の移動によりペットフードを袋から袋の外に向けて押し出すことを特徴とする請求項１又は２に記載のペットフード供給具。
【請求項４】
前記ペットフード保持部は、滑り止めシートを更に備え、前記ローラまたは押圧片と前記滑り止めシートの間に、ペットフードを挟ませることを特徴とする請求項３に記載のペットフード供給具。
【考案の詳細な説明】
【技術分野】
【０００１】
本考案は、ペットに餌を与えるときに使用するペットフード供給具に関する。特に、餌でペットの気を引きつけることにより、ペットの爪切りを容易にするペットフード供給具に関する。
【背景技術】
【０００２】
ペットの爪を切るときペットが暴れて、爪を切ることが困難なことがあった。そこで、餌でペットの気を引くことで暴れることを防止し、上手く爪を切ることが可能なペットフード供給具が出てきている（特許文献１参照）。
【先行技術文献】
【特許文献】
【０００３】
【特許文献１】特許第６７３７９７０号公報
【考案の概要】
【考案が解決しようとする課題】
【０００４】
しかしながら、従来のペットフード供給具は、フレキシブルアームを使用しているので、ペットの口元付近に餌を持っていくとき、ペットを抱きかかえた状態で、フレキシブルアームを曲げたり伸ばしたり操作するのは手間であった。
【０００５】
そこで、本考案は、容易にペットの口元付近に餌を持っていくことが可能なペットフード供給具を提供することを目的とする。
【課題を解決するための手段】
【０００６】
上記課題を解決するため、本考案のペットフード供給具は、ペットフードを保持するペットフード保持部と、前記ペットフード保持部に一端が連結される棒状の操作桿と、前記操作桿の他端が連結され、テーブル等に取り付けられる取付具と、を備え、前記取付具は、テーブル等に装着される固定具と、前記固定具に連結される自由雲台と、で構成され、前記自由雲台は、雲台本体と、前記雲台本体に回動可能に保持されたボール部と、を備え、前記操作桿の他端が前記ボール部に連結されることで、前記ペットフード保持部は、前記ボール部を中心として旋回可能であることを特徴としている。
【０００７】
テーブル等に装着される固定具は、U型ジョイント金具が好ましいが、クリップであっ
てもよいし、テーブル上に載置する台状のものであってもよい。
【０００８】
ペットフード保持部は、スティックタイプのペットフードを袋から送り出すことが可能なローラ又は押圧片と、ローラを回転または押圧片を移動させるモータを備えるものがよい。ペットフードを袋から送り出すことで、ペットが長時間食べつつけることができ、その間に手足の爪を切ることができる。
【考案の効果】
【０００９】
本考案のペットフード供給具は、ペットフード保持部が操作桿を通して自由雲台のボール部に連結されているので、ペットフード保持部を手で押すだけで、ペットフード保持部の位置を変化させることができ、ペットの口元に容易にペットフード保持部を持っていくことができる。
【図面の簡単な説明】
【００１０】
【図１】（ａ）は本考案の実施形態に係るペットフード供給具を示す分解斜視図、（ｂ）は同ペットフード供給具を異なる方向から見た組み立て斜視図である。
【図２】同ペットフード供給具の動きを示す図である。
【図３】（ａ）〜（ｃ）は同ペットフード供給具のペットフード保持部の機構の構成及び動作を示す断面図である。
【図４】（ａ），（ｂ）はペットフード保持部の他の機構の構成及び動作を示す断面図である。
【図５】（ａ），（ｂ）は同ペットフード供給具の使用状態を説明する斜視図である。
【考案を実施するための形態】
【００１１】
図１（ａ），（ｂ）は、本考案の実施形態に係るペットフード供給具１を示す。このペットフード供給具１は、ペットフードを保持するペットフード保持部２と、ペットフード保持部２に一端３ａが連結される棒状の操作桿３と、操作桿３の他端３ｂが連結され、テーブル等に取り付けられる取付具４と、を備えている。
【００１２】
ペットフード保持部２は、箱型に形成されており、後述するモータ、ローラ等を内部に収容している。また、ペットフード保持部２の先端側の面は一部が開口されており、基端側の面に操作竿３の一端３ａが固定されている。この操作桿３は高剛性の棒材で構成され、両端３ａ，３ｂにねじ溝が形成されている。
【００１３】
取付具４は、テーブル等に装着される固定具５と、固定具５に連結される自由雲台６と、で構成されている。この固定具５は、テーブル等を挟むＵ型ジョイント金具５ａと、Ｕ型ジョイント金具５ａとテーブル等との間の隙間を埋めるためのアジャスター５ｂと、で構成されている。Ｕ型ジョイント金具５ａは、金属製平板をコ字に屈曲することにより形成されており、屈曲部により、上板５１、中央板５２、下板５３に区分けされている。これら上板５１、中央板５２、下板５３にはそれぞれ貫通孔５４，５５，５６が形成されている。貫通孔５４，５５，５６が形成された上板５１、中央板５２、下板５３の内周面には、ネジ溝が形成されている。
【００１４】
アジャスター５ｂは、ボルト５７と、円盤状の支持片５８とで構成され、ボルト５８を下板５３の貫通孔５６に挿通させた後、支持片５８をねじ止めすることにより、アジャスター５ｂは、Ｕ型ジョイント金具５ａに取り付けられている。
【００１５】
自由雲台６は、円筒状の雲台本体６１と、雲台本体６１に回動可能に保持されたボール部６２と、雲台本体６１に取り付けられ締めることによりボール部６２の回動を抑制する蝶ボルト６３と、を備えている。ボール部６２は、雲台本体６１の先端側に取り付けられており、ネジ穴（不図示）を備えている。このネジ穴に操作竿３の基端３ｂをねじ込むことにより、操作竿３は自由雲台６に連結されている。従って、本ペットフード供給具１のペットフード保持部２は、操作桿３を通して自由雲台６のボール部６２に連結されている。これにより、ペットフード保持部２は、図２に示すように、ボール部６２を中心として旋回可能である。なお、雲台本体６１は、中央板５２の貫通孔５５を基端側から挿通したボルト６４により、固定具５に連結されている。
【００１６】
図３（ａ）〜（ｃ）はペットフード保持部２の詳細構成及び動作を示す。ペットフード保持部２は、箱内部にローラ２１と、このローラ２１を駆動する駆動機構２２と、を備えている。駆動機構２２は、モータ２３と、モータ２３と歯合されローラ２１にモータ２３の動力を伝達する減速機構２４とで、構成されている。減速機構２４は、複数の歯車で構成され、この減速機構２４によりモータ２３の回転速度に対しローラ２１の回転速度は、遅くなっている。
【００１７】
ペットフード保持部２は、内部に更に、モータ２３の駆動のオン・オフを制御するばねスイッチ２５と、滑り止めシート２６と、を備えている。これらばねスイッチ２５と、滑り止めシート２６は、ペットフード保持部２の底面に取り付けられており、ばねスイッチ２５は先端側、滑り止めシート２６は中央付近に配置されている。
【００１８】
ペットフード保持部２の動作を以下に説明する。まず、図３（ａ）に示すように、袋８を破ってスティックタイプのペットフード７を一部、袋８から露出した状態で、ペットフード保持部２内部に移動させる。すると、図３（ｂ）に示すように、袋８の基端がばねスイッチ２５のばねを押し下げ、モータ２３は回転を開始する。モータ２３が回転すると減速機構２４を通してローラ２１に動力が伝わり、ローラ２１は回転を開始する。ローラ２１が回転すると袋８を巻き込んで、袋８を基端側へと移動させる。続いて、図３（ｃ）に示すように、ローラ２１が袋８を基端側へと移動させると、ローラ２１と底面に配置された滑り止めシート２６に挟まれた袋８は押しつぶされていき、ペットフード７は、袋８の外に向けて徐々に押し出されることとなる。
【００１９】
上述のようにペットフード保持部２は、滑り止めシート２６を備えているので、ローラ２１と滑り止めシート２６に挟まれた袋８は移動中ぶれることがない。したがって、ペットフード保持部２は、正確にペットフード７を外に向けて押し出すことができる。
【００２０】
スティックタイプのペットフードを袋から送り出す機構の構成は上記に限定されるものではない。図４（ａ），（ｂ）は他の機構の構成を示す。ペットフード保持部２は、モータ２３と減速機構２４と、ばねスイッチ２５と、滑り止めシート２６と、を備えるとともに、減速機構２４に歯合するピニオン２７と、ピニオン２７と歯合するラック２８と、ラック２８の底面に固定された押圧片２９とを更に内部に備えている。
【００２１】
ばねスイッチ２５と、滑り止めシート２６は、ペットフード保持部２の底面に取り付けられており、ばねスイッチ２５は中央付近、滑り止めシート２６は先端側に配置されている。ピニオン２７は、減速機構２４の最終段の歯車に連結されている。押圧片２９はラック２８の先端側底面に固定されており、下側から先端方向上側に向かって斜辺が延びる側面視直角台形形状に形成されている。
【００２２】
このように構成されたペットフード保持部２の動作を以下に説明する。まず、図４（ａ）に示すように、ペットフード７をペットフード保持部２内部に移動させと、袋８の基端がばねスイッチ２５のばねを押し下げ、モータ２３は回転し、減速機構２４を通してピニオン２７に動力が伝わり、ラック２８及び押圧片２９は先端側に向かって移動する。すると、図４（ｂ）に示すように、押圧片２９と滑り止めシート２６の間に挟まれた袋８は押しつぶされていき、ペットフード７は、袋８の外に向けて徐々に押し出されることとなる。
【００２３】
次に、実施形態に係るペットフード供給具１の使用方法について図５（ａ），（ｂ）を用いて説明する。まず、図５（ａ）に示すように、テーブル９に取付具４を差し込みアジャスターを締めることにより、ペットフード供給具１をテーブルに取り付ける。次に、猫１０を抱いて椅子に座り、猫１０の口元にペットフード保持部２が来るようにペットフード保持部２を猫１０を抱えていない手で押す。そうすると、自由雲台６は回動し、ペットフード保持部２は猫１０の口元に旋回移動することとなる。
【００２４】
次に、図５（ｂ）に示すように、ペットフード保持部２が猫１０の口元に移動すると、ペットフード７をペットフード保持部２内に挿入する。このようにすると、ペットフード保持部２により、ペットフード７は、袋８の外に向けて徐々に押し出され、猫１０がペッ
トフード７を舐めることとなる。猫１０がペットフード７を舐めるのに夢中となっているあいだに猫１０の手を把持し、爪切り１１で爪を切ることができる。
【００２５】
本実施形態のペットフード供給具１においては、自由雲台６と高剛性の操作竿３を備えているので、フレキシブルアームのように撓むことなく、素早く容易にペットの口元にペットフード保持部２を移動させることができる。また、ペットフード保持部２は、ペットフード７を徐々に袋８の外に向けて徐々に押し出すので、猫１０が長時間ペットフードを食べ続けることができる。猫１０が長時間ペットフードを食べ続けるので、爪を切る時間に余裕ができ、落ち着いて正確に爪を切ることができる。
【００２６】
なお、ペットフード保持部２は、ペットフード７を徐々に袋８の外に向けて徐々に押し出せる構成としているが、ペットフードを載せることが可能な皿形状等であってもよい。固定具５は、使用時にテーブルからはずれないものであればよく、テーブルを挟みこむことが可能なクリップや、をテーブルの上に置く滑りにくい載置台であってもよい。
【符号の説明】
【００２７】
１      ペットフード供給具
２      ペットフード保持部
２１    ローラ
２２    駆動機構
２３    モータ
２４    減速機構
２５    ばねスイッチ
２６    滑り止めシート
２７    ピニオン
２８    ラック
２９    押圧片
３      操作桿
３ａ    一端
３ｂ    他端
４      取付具
５      固定具
５ａ    Ｕ型ジョイント金具
５ｂ    アジャスター
５１    上板
５２    中央板
５３    下板
５４    貫通孔
５５    貫通孔
５６    貫通孔
５７    ボルト
５８    支持片
６      自由雲台
６１    雲台本体
６２    ボール部
６３    蝶ボルト
６４    ボルト
７      ペットフード
８      袋
９      テーブル
１０    猫
１１    爪切り
【図１】
0003231485.tif 000003
【図２】
0003231485.tif 000004
【図３】
0003231485.tif 000005
【図４】
0003231485.tif 000006
【図５】
0003231485.tif 000007